(57)【要約】【課題】カメラ付き携帯電話装置のキーロック機能に関する操作性の向上を図る。【解決手段】カメラ付き携帯電話装置は、入力キー１１２、キー操作検出手段１０２、ちょうつがい部１１５及びキー入力制御手段１０４からの情報を基に、キー制御手段１０６によってキーロック機能を解除し、キー入力制御手段１０４からの情報を基に、撮影手段１１０によって解除時に周囲の明るさを検出し、ＲＯＭ１１１、輝度測定手段１０１及び撮影手段１１０からの情報を基に、動作時間決定手段１０５によって明るさに応じてタイマー手段１１３の動作時間を設定し、そして、キー入力制御手段１０４によってタイマー手段１１３を起動し、キー制御手段１０６によって設定された動作時間内のキー操作を有効にすると共に、動作時間の終了を待ってキーロック機能を開始するものであり、キー操作の有効もしくは無効を自動判断し、動作時間を自動調整することができ、操作性が向上する。【選択図】        図２
2006074577.tif 000002
【特許請求の範囲】
【請求項１】
撮影手段と表示手段とを有するカメラ付き携帯電話装置において、
各キー入力を検知するキー操作検出手段と、
前記キー操作検出手段からの各キー入力に基づいて各種機能を操作するキー制御手段と、
前記キー制御手段の制御機能を停止するキーロック設定手段と、
前記撮影手段より入力された画像を元に周囲の明るさを検出する輝度測定手段と、
前記輝度測定手段で測定した明るさに応じてタイマーの動作時間を決定する動作時間決定手段と、
前記動作時間決定手段で決定された時間動作するタイマー手段と、
任意のキー入力又は折りたたみ型携帯電話の閉状態から開状態への動作によって前記タイマー手段をスタートさせるキー入力制御手段とを備え、
前記タイマー動作中に前記キー入力を受付けた場合には前記タイマー手段をリセットし、前記タイマー動作中に前記キー入力を受付けなかった場合には前記タイマー手段のタイマー終了後に前記キーロック設定手段を作動させる
ことを特徴とするカメラ付き携帯電話装置。
【請求項２】
前記輝度測定手段では、前記撮影手段から入力される画像より得られる明るさとあらかじめ設定しているしきい値との比較により、前記周囲の明るさを判定することを特徴とする請求項１に記載のカメラ付き携帯電話装置。
【請求項３】
ユーザーに対してキー入力が可能もしくは不可状態であることを報知する操作状態通知手段を備え、前記操作状態通知手段は、前記タイマーが作動していないときはキーバックライトの消灯およびアイコンの非表示を行うことを特徴とする請求項１または請求項２に記載のカメラ付き携帯電話装置。
【請求項４】
ユーザーに対してキー入力が可能もしくは不可状態であることを報知する操作状態通知手段を備え、前記操作状態通知手段は、前記タイマーが動作中においてキーバックライトの点灯およびアイコンの表示を行うことを特徴とする請求項１から請求項３のいずれかに記載のカメラ付き携帯電話装置。
【請求項５】
前記動作時間決定手段では、前記輝度測定手段が前記周囲の明るさが暗いと判断したときに、前記タイマーの動作時間の長さを短くすることを特徴とする請求項１から請求項４のいずれかに記載のカメラ付き携帯電話装置。
【請求項６】
キーロック機能とカメラ機能とタイマー機能とを有するカメラ付き携帯電話装置の制御方法であって、任意のキー入力又は折りたたみ型携帯電話の閉状態から開状態への動作によって前記キーロック機能を解除するステップと、前記解除時に前記カメラ機能を用いて周囲の明るさを検知するステップと、検知された明るさに応じて前記タイマー機能の動作時間を設定するステップと、前記タイマー機能を動作させるステップと、前記タイマー機能の前記動作時間内の前記キー入力を受けて前記タイマー機能をリセットするステップと、前記タイマー機能の前記動作時間の終了を待って前記キーロック機能を開始するステップとを有し、キー操作の有効もしくは無効を自動判断し、且つ前記動作時間を自動調整することを特徴とするカメラ付き携帯電話装置の制御方法。
【発明の詳細な説明】
【技術分野】
【０００１】
本発明は、カメラ付き携帯電話装置におけるキーロック機能に関する。
【背景技術】
【０００２】
携帯電話装置の多くは本体を折りたたむなどの手法により操作入力をするためのキーを物理的に隠す機構を有している。しかし、閉じた状態でも一部のキーが本体側面に露出した形で実装されており、写真撮影や電話帳操作等を可能とする状態になっている。従って外部に露出しているキーはユーザーによる操作意図の無い場合でも物などによる接触で誤操作を引き起こすおそれがあった。
そこで、例えば特許文献１に記載の技術では、携帯電話機本体が閉状態での誤操作を防止するためにキーロック情報設定手段とその設定情報を保存する記憶手段を設けて、フリップの開閉または折りたたみ状態の変化を検出後、前記設定情報に基づき露出しているキーのロックを行うことで誤操作を防止している。
一方、カメラ付き携帯電話装置に関した技術として、例えば特許文献２では、カメラの輝度を利用して着信音量を調整する機能が提示され、また特許文献３では、カメラと照明装置を備えた携帯電話機における照明装置に対する電力浪費の抑止機能が提示されている。
【特許文献１】特開２００１−２８５４４２号公報（第２−３頁、図３）
【特許文献２】特開２０００−１８４０１３号公報（第２−３頁、図１）
【特許文献３】特開２００３−１１０６８１号公報（第２頁、図１）
【発明の開示】
【発明が解決しようとする課題】
【０００３】
しかしながら、上記特許文献１では、フリップを閉じたときに一定時間後にキーロックが設定され、かつ、開いたときに解除される。そのため、一定時間後に閉じた状態で露出しているキーを操作するために、ユーザーがフリップを開く必要があった。また、キーロックがかかるまでの時間をユーザーが設定する必要があるなど、その操作性にやや難点があった。
また、特許文献２では、カメラの輝度情報をもとに着信音の音量を調整する機能に特化し、特許文献３では、暗いと判断した場合のみ照明（ＬＥＤ）を点灯させ消費電力を低減させる機能に特化しており、キー操作に関する配慮はなされていなかった。
【０００４】
したがって本発明は、このような従来の問題について鑑み、機器に付属しているカメラを利用し、タイマーの動作時間を自動調整し、キー操作の有効もしくは無効を自動判断することで、操作性の向上するカメラ付き携帯電話装置を提供することを目的とする。
【課題を解決するための手段】
【０００５】
請求項１記載の本発明のカメラ付き携帯電話装置は、撮影手段と表示手段とを有するカメラ付き携帯電話装置において、各キー入力を検知するキー操作検出手段と、前記キー操作検出手段からの各キー入力に基づいて各種機能を操作するキー制御手段と、前記キー制御手段の制御機能を停止するキーロック設定手段と、前記撮影手段より入力された画像を元に周囲の明るさを検出する輝度測定手段と、前記輝度測定手段で測定した明るさに応じてタイマーの動作時間を決定する動作時間決定手段と、前記動作時間決定手段で決定された時間動作するタイマー手段と、任意のキー入力又は折りたたみ型携帯電話の閉状態から開状態への動作によって前記タイマー手段をスタートさせるキー入力制御手段とを備え、前記タイマー動作中に前記キー入力を受付けた場合には前記タイマー手段をリセットし、前記タイマー動作中に前記キー入力を受付けなかった場合には前記タイマー手段のタイマー終了後に前記キーロック設定手段を作動させることを特徴とする。
請求項２記載の本発明は、請求項１に記載のカメラ付き携帯電話装置において、前記輝度測定手段では、前記撮影手段から入力される画像より得られる明るさとあらかじめ設定しているしきい値との比較により、前記周囲の明るさを判定することを特徴とする。
請求項３記載の本発明は、請求項１または請求項２に記載のカメラ付き携帯電話装置において、ユーザーに対してキー入力が可能もしくは不可状態であることを報知する操作状態通知手段を備え、前記操作状態通知手段は、前記タイマーが作動していないときはキーバックライトの消灯およびアイコンの非表示を行うことを特徴とする。
請求項４記載の本発明は、請求項１から請求項３のいずれかに記載のカメラ付き携帯電話装置において、ユーザーに対してキー入力が可能もしくは不可状態であることを報知する操作状態通知手段を備え、前記操作状態通知手段は、前記タイマーが動作中においてキーバックライトの点灯およびアイコンの表示を行うことを特徴とする。
請求項５記載の本発明は、請求項１から請求項４のいずれかに記載のカメラ付き携帯電話装置において、前記動作時間決定手段では、前記輝度測定手段が前記周囲の明るさが暗いと判断したときに、前記タイマーの動作時間の長さを短くすることを特徴とする。
請求項６記載の本発明のカメラ付き携帯電話装置の制御方法は、キーロック機能とカメラ機能とタイマー機能とを有するカメラ付き携帯電話装置の制御方法であって、任意のキー入力又は折りたたみ型携帯電話の閉状態から開状態への動作によって前記キーロック機能を解除するステップと、前記解除時に前記カメラ機能を用いて周囲の明るさを検知するステップと、検知された明るさに応じて前記タイマー機能の動作時間を設定するステップと、前記タイマー機能を動作させるステップと、前記タイマー機能の前記動作時間内の前記キー入力を受けて前記タイマー機能をリセットするステップと、前記タイマー機能の前記動作時間の終了を待って前記キーロック機能を開始するステップとを有し、キー操作の有効もしくは無効を自動判断し、且つ前記動作時間を自動調整することを特徴とする。
【発明の効果】
【０００６】
本発明のカメラ付き携帯電話装置は、各キー入力を検知するキー操作検出手段と、撮影手段より入力された画像を元に周囲の明るさを検出する輝度測定手段と、ユーザーに対してキー入力が可能もしくは不可状態であることを報知する操作状態通知手段と、任意のキー入力もしくは折りたたみ型携帯電話を閉状態から開状態へ変化させた際に、撮影手段の起動及び終了と動作時間内のキー入力を受付けるタイマーの起動とを行うキー入力制御手段と、輝度測定手段で測定した明るさに応じてタイマーが作動する前にこのタイマーの動作時間を決定し、タイマーに設定する動作時間決定手段と、キー入力制御手段によってタイマーが作動後に、入力キーの操作を有効として、当該携帯電話装置の操作を実施するキー制御手段と、タイマーが終了してから起動するまでの間に、自動で任意のキー操作を拒否するキーロックを自動で設定するキーロック設定手段とを有するものであり、任意キー押下もしくは閉状態から開状態に変化した時からタイマーを作動し、タイマーが動作している時間内の操作のみを有効とすることにより、キー操作の有効もしくは無効を自動的に判断することができる。且つ、撮影手段で撮影した画像による周囲の明るさに応じて、タイマーの動作時間を決定することにより、その動作時間を自動的に設定することができる。
特に、暗い場合は動作時間を短くすることにより、カバンや被服内などでの誤操作を減らすことができる。即ち、携帯電話がカバン内にあるときは周囲が暗いと共に、ユーザーによる操作意図が無いと判断される場合であり、いち早くキーロック機能を働かせて、モタモタしていてカバン内の障害物との接触による誤操作を引き起こす機会を少なくするものである。
また、キーバックライト点灯やアイコン表示を通じ、キー操作が有効もしくは無効な状態であるかどうかをユーザーに通知できる。
【発明を実施するための最良の形態】
【０００７】
本発明の第１の実施の形態によるカメラ付き携帯電話装置は、各キー入力を検知するキー操作検出手段と、キー操作検出手段からの各キー入力に基づいて各種機能を操作するキー制御手段と、キー制御手段の制御機能を停止するキーロック設定手段と、撮影手段より入力された画像を元に周囲の明るさを検出する輝度測定手段と、輝度測定手段で測定した明るさに応じてタイマーの動作時間を決定する動作時間決定手段と、動作時間決定手段で決定された時間動作するタイマー手段と、任意のキー入力又は折りたたみ型携帯電話の閉状態から開状態への動作によってタイマー手段をスタートさせるキー入力制御手段とを備え、タイマー動作中にキー入力を受付けた場合にはタイマー手段をリセットし、タイマー動作中にキー入力を受付けなかった場合にはタイマー手段のタイマー終了後にキーロック設定手段を作動させるものである。この実施の形態によれば、タイマー作動前のキー操作はタイマー起動操作として扱い、タイマー作動中のキー押下のみ操作対象とすることで、キー操作の有効もしくは無効を自動的に判断し、撮影手段から得た輝度から動作時間を設定することで、タイマーの動作時間を自動的に調整することができる。そのため、操作性が改善されるとともに、偶然の接触などによる誤作動を更に少なくできる。
本発明の第２の実施の形態は、第１の実施の形態によるカメラ付き携帯電話装置において、輝度測定手段では、撮影手段から入力される画像より得られる明るさとあらかじめ設定しているしきい値との比較により、周囲の明るさを判定するものである。この実施の形態によれば、しきい値より大きい場合は明るい、しきい値以下の場合は暗いと携帯電話装置本体が自動で周辺の明るさを判別できる。
本発明の第３の実施の形態は、第１または第２の実施の形態によるカメラ付き携帯電話装置において、ユーザーに対してキー入力が可能もしくは不可状態であることを報知する操作状態通知手段を備え、操作状態通知手段は、タイマーが作動していないときはキーバックライトの消灯およびアイコンの非表示を行うものである。この実施の形態によれば、アイコン非表示とキーバックライト消灯によって、キー操作が無効であるということを、ユーザーに対して明示できる。
本発明の第４の実施の形態は、第１から第３の実施の形態によるカメラ付き携帯電話装置において、ユーザーに対してキー入力が可能もしくは不可状態であることを報知する操作状態通知手段を備え、操作状態通知手段は、タイマーが動作中においてキーバックライトの点灯およびアイコンの表示を行うものである。この実施の形態によれば、アイコン表示とキーバックライト点灯によって、キー操作が有効であるということを、ユーザーに対して明示できる。
本発明の第５の実施の形態は、第１から第４の実施の形態によるカメラ付き携帯電話装置において、動作時間決定手段では、輝度測定手段が周囲の明るさが暗いと判断したときに、タイマーの動作時間の長さを短くするものである。この実施の形態によれば、例えば、携帯電話がカバン内にあって操作意図の無い場合に、いち早くキーロック機能を働かせて誤操作の機会を減らすことができる。
本発明の第６の実施の形態によるカメラ付き携帯電話装置の制御方法は、任意のキー入力又は折りたたみ型携帯電話の閉状態から開状態への動作によってキーロック機能を解除するステップと、解除時にカメラ機能を用いて周囲の明るさを検知するステップと、検知された明るさに応じてタイマー機能の動作時間を設定するステップと、タイマー機能を動作させるステップと、タイマー機能の動作時間内のキー入力を受けてタイマー機能をリセットするステップと、タイマー機能の動作時間の終了を待ってキーロック機能を開始するステップとを有し、キー操作の有効もしくは無効を自動判断し、且つ動作時間を自動調整するものである。この実施の形態によれば、キー操作の有効もしくは無効を自動判断し、タイマーの動作時間を自動調整することで、ユーザーを煩わすことがなくなり、操作性が向上する。
【実施例１】
【０００８】
本発明の実施例について、図面に基づき説明する。図１は、本発明の一実施例のカメラ付き携帯電話装置を示す斜視図あり、図１（ａ）は開状態の携帯電話を示し、図１（ｂ）は閉状態の携帯電話を示している。また、図２は、本実施例のカメラ付き携帯電話装置のブロック構成図である。
図１及び図２において、本実施例のカメラ付き携帯電話装置は、カメラなどから成り、周辺の画像や映像等を撮影する撮影手段１１０から得られた画像などを基に周囲の明るさとＲＯＭ１１１にあらかじめ登録されているしきい値とを比較する輝度測定手段１０１と、電話番号入力などで使用する入力キー１１２の操作されたキーを検知するキー操作検出手段１０２と、キーバックライト１１４の点灯や表示手段１０９へのアイコン表示を制御する操作状態通知手段１０３と、ちょうつがい部１１５の状態が変化した場合やタイマー手段１１３が動作していない時にキー操作検出手段１０２が入力キー１１２の押下を検出した場合に、撮影手段１１０の起動および終了とタイマー手段１１３の起動とを制御するキー入力制御手段１０４と、輝度測定手段１０１で出力される明るさを基にタイマー手段１１３の動作時間をあらかじめ登録されているＲＯＭ１１１より取得し、タイマー手段１１３に設定する動作時間決定手段１０５と、タイマー手段１１３動作中における入力キー１１２の操作を有効とし、携帯電話機操作を実施するキー制御手段１０６と、タイマー手段１１３が終了してから起動するまでの間、自動で任意のキー操作を拒否するキーロックを自動で設定するキーロック設定手段１０７と、キー制御手段１０６の出力によって操作される本体制御手段１０８と、画面出力を実施する表示手段１０９とを備えている。
【０００９】
次に、本実施例のカメラ付き携帯電話装置の動作について説明する。
最初に、その動作時間内のキー操作のみを有効とするタイマー手段１１３の時間設定について、図３のフローチャートを用いて説明する。
まず、ステップ２０１にて、携帯電話に「着呼」などの動作や、ユーザーによる操作があった場合をトリガーとする。ステップ２０２では、ちょうつがい部１１５からユーザーが折りたたみ携帯電話を開いたかどうか確認する。このとき開状態の場合（ステップ２０２のＮＯ）、ステップ２０４へ遷移する。逆に閉状態の場合（ステップ２０２のＹＥＳ）は、ステップ２０３へ移る。ステップ２０３では、任意の入力キー１１２が押下されたとき（ステップ２０３のＹＥＳ）、ステップ２０４へ移る。押下されなければ（ステップ２０３のＮＯ）、ステップ２０１へ遷移する。
ステップ２０４において、キーロック設定を解除する。ステップ２０５で、キー入力制御手段１０４より撮影手段１１０を起動させる。ステップ２０６では、撮影手段１１０より画像を撮影した後に撮影手段１１０を終了させる。そしてステップ２０７で、ＲＯＭ１１１にあらかじめ登録されているしきい値Ｘを取得する。
次に、ステップ２０８において、ステップ２０６で撮影した画像より明るさＹを取得する。ステップ２０９で、輝度測定手段１０１において、しきい値Ｘと明るさＹを比較する。Ｘ≦Ｙの場合、すなわち明るいと判定された場合（ステップ２０９のＹＥＳ）、ステップ２１０へ移り、動作時間決定手段１０５は動作時間（明）Ｚ１をタイマー値Ｔ時間として設定する。しかし、Ｘ＞Ｙの場合（ステップ２０９のＮＯ）、暗いと判断して設定されるタイマー値Ｔ時間は動作時間（暗）Ｚ２とするステップ２１１を経てからステップ２１２へ遷移する。そしてステップ２１２で、タイマー値Ｔ時間を設定後、処理を終了する。なお、このとき撮影手段１１０で撮影された画像は明るさを判定する目的のみに使用され、処理終了後はデータを削除する（ステップ２１３）。
【００１０】
次に、入力キー１１２の操作が有効となるタイマー手段１１３の動作およびキーバックライト１１４の点灯やアイコンの表示、キーロック開始について、図４のフローチャートを用いて説明する。
まず、ステップ３０１にて、タイマー値Ｔ時間が決定し、タイマーに設定された段階をトリガーとする。ステップ３０２では、動作時間決定手段１０５が決定したタイマー値Ｔ時間をタイマー手段１１３にセットしてタイマー手段１１３を起動すると同時に、操作状態通知手段１０３はキーバックライト１１４を点灯させ、アイコンを表示手段１０９に表示させる。
ステップ３０３において、タイマー手段１１３が動作中に任意の入力キー１１２が押下された場合（ステップ３０３のＮＯ）、ステップ３０４へ移り、一度タイマーをリセット（更新）する。リセット後、ステップ３０２へ遷移する。逆に、任意の入力キー１１２が押下されなかった場合（ステップ３０３のＹＥＳ）、ステップ３０５へ進む。
次に、ステップ３０５において、タイマーが満了していない場合（ステップ３０５のＮＯ）、ステップ３０３へ遷移し、携帯電話機の操作を可能とする。一方ステップ３０５において、タイマー手段１１３が満了した場合（ステップ３０５のＹＥＳ）、タイマーを終了し、ステップ３０６へ移る。ステップ３０６では、キーバックライト１１４を消灯し、アイコンを表示手段１０９から消して非表示とする。そしてステップ３０７で、キーロック開始を実行する。
【００１１】
ここで、周囲の明るさに応じてタイマーの長さを変化させることや、キーの有効無効をアイコンの表示等で行うことなどについて、補足説明する。
周囲が暗い場合は、携帯電話装置が例えばカバンやポケットなどの内部にあり、携帯電話装置を手に持って操作している可能性が低い場合と判断される。ただし夜間や暗室といった暗い環境で操作している場合も想定される。そこで誤操作回避のために暗い場合のタイマー動作時間（Ｚ２）は明るい場合よりも短めに設定する。このときその短い動作時間内に次のキー入力ができる、即ちユーザーの操作を可能とする時間長に設定する。
そして、過失などの誤操作によるキー押下の場合、動作時間内に起こった１回目の押下はタイマーの更新（リセット）でしかなく、タイマーの満了後に起こった２回目以降の押下に対しては、キーロックが作動する。
これに反して、意図的な操作によるキー押下の場合、タイマーが連続して更新されるため、その連続更新の間にキー入力が可能となる。即ち、更新回数が多いほど誤操作でないと判断できる。なお、誤操作で一つのキーを長く押していた場合、即ちタイマーの満了後も同一キーが押し続けられている場合は、キー操作を無効とする機能を有し、この機能はキー操作をやめるまで続く構成とすることは可能である。
一方、周囲が明るい場合は、携帯電話装置を手に持っているなど操作可能な状態であると判断される。ただしオフィスで机の上に放置している場合も同じ環境である。また画面やキーを見ながらゆっくり操作することも考えられる。そのため明るい場合のタイマー動作時間（Ｚ１）は長めに設定する。上記放置状態の場合は、周囲に障害物が存在することやキーを誤入力することの可能性が暗い場合に比べて低く、誤操作によるキー入力の防御対策を弱められるので、タイマー時間を長く設定することが可能となる。
【００１２】
また、キーの有効無効をアイコンやキーバックライトで報知するに当たり、暗い場合の位置確認のために、例えばボタンバックライトの点灯により入力キーを明示し、キー入力を支援することができる。また周囲の人々に「暗い中で携帯電話装置を操作しています」という意志表示ができる。更にキー入力部が点灯することにより誤入力があったことをユーザーに示すこともできる。そして、明るい場合は、キーが見えているので、アイコンなどにより有効状態であることを示すことができる。
また、携帯電話装置の開閉によるキーロック解除のトリガーに関しては、開状態の場合は、ユーザーの意志による操作の可能性が高く、ちょうつがい部の構造から物などに衝突して開くことは考え難いので、開いてすぐキーロック解除を行う構成とすることができる。
【００１３】
このように、本実施例のカメラ付き携帯電話装置では、任意キー押下もしくは閉状態から開状態に変化した際、周囲の明るさから、キー操作を有効とするタイマーの動作時間を決定する。この動作時間内の操作のみ有効とし、物に接触することなどが原因となるユーザーの意図しないキー押下による誤操作を防ぐことができる。
【００１４】
ところで、上記図３及び図４の２つのフローチャートから、本実施例のカメラ付き携帯電話装置の制御方法は下記のとおりである。即ち、任意のキー入力又は折りたたみ型携帯電話の閉状態から開状態への動作によってキーロックを解除するステップと、解除時にカメラで周囲の明るさを検出・判定（すなわち検知）するステップと、検知された明るさに応じてタイマーの動作時間を設定するステップと、タイマーを起動させるステップと、設定されたタイマーの動作時間内にキー操作があればタイマーをリセットするステップと、タイマーの動作時間が終了したらキーロックを作動させるステップとから構成され、キー操作の有効もしくは無効を自動的に判断すること、およびタイマー動作時間の長さを自動的に設定することが可能な制御方法である。
この制御方法によって、一定時間後に閉じた状態で露出しているキーを操作するためにユーザーがフリップを開く必要がなく、またキーロックがかかるまでの時間をユーザーが設定する必要もなく、カメラ付き携帯電話装置の操作性を向上することができる。
【産業上の利用可能性】
【００１５】
以上、本発明は、撮影用カメラ装置と画面表示手段を有する携帯電話装置に適する。
【図面の簡単な説明】
【００１６】
【図１】本発明の一実施例のカメラ付き携帯電話装置を示す斜視図
【図２】本実施例のカメラ付き携帯電話装置のブロック構成図
【図３】本実施例のキー操作が有効となるタイマー設定およびキーロック解除に関するフローチャート
【図４】本実施例のタイマー動作およびキーロック開始に関するフローチャート
【符号の説明】
【００１７】
１０１  輝度測定手段
１０２  キー操作検出手段
１０３  操作状態通知手段
１０４  キー入力制御手段
１０５  動作時間決定手段
１０６  キー制御手段
１０７  キーロック設定手段
１０８  本体制御手段
１０９  表示手段
１１０  撮影手段
１１１  ＲＯＭ
１１２  入力キー
１１３  タイマー手段
１１４  キーバックライト
１１５  ちょうつがい部
Ｘ    しきい値
Ｙ    明るさ
Ｚ１  動作時間(明)
Ｚ２  動作時間(暗)
Ｔ    タイマー値
【図１】
2006074577.tif 000003
【図２】
2006074577.tif 000004
【図３】
2006074577.tif 000005
【図４】
2006074577.tif 000006